(57)【要約】【課題】ボイラプラントの初期導入費用、及び維持費用を低減する。【解決手段】ボイラ７と、蒸気を水にしてボイラ７に戻す循環ライン３４とを備えるボイラプラント２におけるボイラ水のシリカ濃度推定装置１において、ボイラ内の温度を測定するボイラ水温度計３３と、ボイラ内の圧力を測定するボイラ内圧力計３２と、ボイラ給水速度を測定する第一流量計２２と、ボイラ水のシリカ濃度を記憶するシリカ濃度記憶部４１と、温度と圧力とから蒸気中へのシリカ溶解度を算出するシリカ溶解度算出手段４２とを備え、シリカ濃度記憶部４１に記憶されたシリカ濃度がシリカ溶解度よりも大きい場合に、シリカ濃度に、シリカ濃度とシリカ溶解度との差分、ボイラ給水速度、及びボイラの保有水量によって算出されるシリカ濃度増加分を加算することによって、シリカ濃度記憶部４１に記憶されたシリカ濃度を更新するボイラ水のシリカ濃度推定装置１。【選択図】図１
2014031931.tif 000002
【特許請求の範囲】
【請求項１】
ボイラと、前記ボイラで発生した蒸気を水にして前記ボイラに戻す循環ラインと、を備えるボイラプラントにおけるボイラ水のシリカ濃度推定装置において、
ボイラ内の温度を測定するボイラ水温度計と、
ボイラ内の圧力を測定するボイラ内圧力計と、
ボイラ給水速度を測定する第一流量計と、
ボイラ水のシリカ濃度を記憶するシリカ濃度記憶部と、
前記ボイラ内の温度と前記ボイラ内の圧力とから蒸気中へのシリカ溶解度を算出するシリカ溶解度算出手段と、を備え、
前記シリカ濃度記憶部に記憶された前記シリカ濃度が前記シリカ溶解度よりも大きい場合に、前記シリカ濃度に、前記シリカ濃度と前記シリカ溶解度との差分、前記ボイラ給水速度、及び前記ボイラの保有水量によって算出されるシリカ濃度増加分を加算することによって、前記シリカ濃度記憶部に記憶されたシリカ濃度を更新することを特徴とするボイラ水のシリカ濃度推定装置。
【請求項２】
前記シリカ溶解度算出手段は、蒸気へのシリカ溶解度、ボイラ内の圧力、及びボイラ内の温度の相関関係が記憶されたデータベースに基づいて回帰分析によって求められた計算式を用いてシリカ溶解度を算出することを特徴とする請求項１に記載のボイラ水のシリカ濃度推定装置。
【請求項３】
請求項１又は請求項２に記載のボイラ水のシリカ濃度推定装置と、
前記ボイラからボイラ水をブローするブロー手段と、
前記ブロー手段によってブローされるボイラブロー水量を測定する第二流量計と、
前記循環ラインに給水する純水装置と、
前記純水装置から供給される純水のシリカ濃度である給水シリカ濃度を測定するシリカ濃度計と、
ボイラ水をブローする制御装置と、を備え、
前記制御装置は、前記シリカ濃度から、前記シリカ濃度と前記給水シリカ濃度との差分、前記ボイラブロー水量、及び前記ボイラと前記循環ラインの全保有水量によって算出されるシリカ濃度減少分を減算することによって、前記シリカ濃度記憶部に記憶されたシリカ濃度を更新することを特徴とするボイラ水のシリカ濃度調整装置。
【請求項４】
ボイラと、前記ボイラで発生した蒸気を水にして前記ボイラに戻す循環ラインと、を備えるボイラプラントにおけるボイラ水のシリカ濃度推定方法において、
ボイラ内の温度、及びボイラ内の圧力を測定する工程と、
ボイラ給水速度を測定する工程と、
ボイラ水のシリカ濃度を記憶する工程と、
前記ボイラ内の温度と前記ボイラ内の圧力とから蒸気中へのシリカ溶解度を算出する工程と、
記憶された前記シリカ濃度が前記シリカ溶解度よりも大きい場合に、前記シリカ濃度に、前記シリカ濃度と前記シリカ溶解度との差分、前記ボイラ給水速度、及び前記ボイラの保有水量によって算出されるシリカ濃度増加分を加算することによって、記憶されたシリカ濃度を更新する工程と、を含むことを特徴とするボイラ水のシリカ濃度推定方法。
【請求項５】
前記シリカ溶解度は、蒸気へのシリカ溶解度、ボイラ内の圧力、及びボイラ内の温度の相関関係が記憶されたデータベースに基づいて回帰分析によって求められた計算式によって算出されることを特徴とする請求項４に記載のボイラ水のシリカ濃度推定方法。
【請求項６】
請求項４又は請求項５に記載のボイラ水のシリカ濃度推定方法を用いてシリカ濃度を推定する工程と、
所定のボイラ水ブロー管理値を設定する工程と、
前記シリカ濃度推定方法によって推定された前記シリカ濃度が所定のボイラ水ブロー管理値よりも大きい場合にボイラ水をブローする工程と、
前記ボイラからブローされるボイラブロー水量を測定する工程と、
前記循環ラインに給水する工程と、
前記循環ラインに供給される給水のシリカ濃度である給水シリカ濃度を測定する工程と、
前記シリカ濃度から、前記シリカ濃度と前記給水シリカ濃度との差分、前記ボイラブロー水量、及び前記ボイラと前記循環ラインの全保有水量によって算出されるシリカ濃度減少分を減算することによって、前記シリカ濃度記憶部に記憶されたシリカ濃度を更新する工程と、を含むことを特徴とするボイラ水のシリカ濃度調整方法。
【発明の詳細な説明】
【技術分野】
【０００１】
本発明は、火力発電用ドラム型ボイラや、船舶用ボイラ等の循環するボイラ水のシリカ濃度を推定、調整するボイラ水のシリカ濃度推定装置、シリカ濃度調整装置、シリカ濃度推定方法、及びシリカ濃度調整方法に関する。
【背景技術】
【０００２】
例えば、火力発電用ドラム型ボイラのボイラ水に含まれるシリカは、配管の内周面などに付着するスケールの原因となるため管理値が定められており、この管理値を超えないように管理されている（例えば特許文献１参照）。
【０００３】
ボイラ水のシリカ濃度の測定は、ボイラに付随して設けられたサンプリングラック内に設置されたシリカ濃度計を用いて、ボイラ水から抽出されたサンプル水に対して行われる。そして、ボイラ水のシリカ濃度が所定の管理値を超えた場合にボイラ水のブローを実施するとともに純水を補給することによって、ボイラ水のシリカ濃度を減少させるように調整している。
【先行技術文献】
【特許文献】
【０００４】
【特許文献１】特開平９−１２６４０８号公報
【発明の概要】
【発明が解決しようとする課題】
【０００５】
しかしながら、上述したようなシリカ濃度計は、装置そのものが非常に高額であるとともに、定期的に試薬補充や校正が必要であるため、初期導入費用、維持費用がかさみ、ボイラ運用のコスト高の原因となっている。
【０００６】
この発明は、このような事情を考慮してなされたもので、その目的は、ボイラで発生した蒸気を水にしてボイラに戻す循環ラインを備えるボイラプラントの初期導入費用、及び維持費用を低減することができるボイラ水のシリカ濃度推定装置、シリカ濃度調整装置、シリカ濃度推定方法、及びシリカ濃度調整方法を提供することにある。
【課題を解決するための手段】
【０００７】
上記課題を解決するために、この発明は以下の手段を提供している。
即ち、本発明に係るボイラ水のシリカ濃度推定装置は、ボイラと、前記ボイラで発生した蒸気を水にして前記ボイラに戻す循環ラインと、を備えるボイラプラントにおけるボイラ水のシリカ濃度推定装置において、ボイラ内の温度を測定するボイラ水温度計と、ボイラ内の圧力を測定するボイラ内圧力計と、ボイラ給水速度を測定する第一流量計と、ボイラ水のシリカ濃度を記憶するシリカ濃度記憶部と、前記ボイラ内の温度と前記ボイラ内の圧力とから蒸気中へのシリカ溶解度を算出するシリカ溶解度算出手段と、を備え、前記シリカ濃度記憶部に記憶された前記シリカ濃度が前記シリカ溶解度よりも大きい場合に、前記シリカ濃度に、前記シリカ濃度と前記シリカ溶解度との差分、前記ボイラ給水速度、及び前記ボイラの保有水量によって算出されるシリカ濃度増加分を加算することによって、前記シリカ濃度記憶部に記憶されたシリカ濃度を更新することを特徴とする。
【０００８】
上記構成によれば、ボイラ水のシリカ濃度を常時測定するためのシリカ濃度計を設置する必要がないため、ボイラプラントの初期導入費用、及び維持費用を低減することができる。
【０００９】
上記ボイラ水のシリカ濃度推定装置において、前記シリカ溶解度算出手段は、蒸気へのシリカ溶解度、ボイラ内の圧力、及びボイラ内の温度の相関関係が記憶されたデータベースに基づいて回帰分析によって求められた計算式を用いてシリカ溶解度を算出することを特徴とする。
上記構成によれば、より容易にシリカ溶解度を算出することができる。
【００１０】
また、本発明に係るボイラ水のシリカ濃度調整装置は、上記いずれかのボイラ水のシリカ濃度推定装置と、前記ボイラからボイラ水をブローするブロー手段と、前記ブロー手段によってブローされるボイラブロー水量を測定する第二流量計と、前記循環ラインに給水する純水装置と、前記純水装置から供給される純水のシリカ濃度である給水シリカ濃度を測定するシリカ濃度計と、ボイラ水をブローする制御装置と、を備え、前記制御装置は、前記シリカ濃度から、前記シリカ濃度と前記給水シリカ濃度との差分、前記ボイラブロー水量、及び前記ボイラと前記循環ラインの全保有水量によって算出されるシリカ濃度減少分を減算することによって、前記シリカ濃度記憶部に記憶されたシリカ濃度を更新することを特徴とする。
【００１１】
上記構成によれば、ボイラプラントの初期導入費用、及び維持費用を低減することができるとともに、ボイラ水のシリカ濃度をボイラ水ブロー管理値以下に保持することができる。
【００１２】
また、本発明に係るボイラ水のシリカ濃度推定方法は、ボイラと、前記ボイラで発生した蒸気を水にして前記ボイラに戻す循環ラインと、を備えるボイラプラントにおけるボイラ水のシリカ濃度推定方法において、ボイラ内の温度、及びボイラ内の圧力を測定する工程と、ボイラ給水速度を測定する工程と、ボイラ水のシリカ濃度を記憶する工程と、前記ボイラ内の温度と前記ボイラ内の圧力とから蒸気中へのシリカ溶解度を算出する工程と、記憶された前記シリカ濃度が前記シリカ溶解度よりも大きい場合に、前記シリカ濃度に、前記シリカ濃度と前記シリカ溶解度との差分、前記ボイラ給水速度、及び前記ボイラの保有水量によって算出されるシリカ濃度増加分を加算することによって、前記シリカ濃度記憶部に記憶されたシリカ濃度を更新する工程と、を含むことを特徴とする。
【００１３】
上記ボイラ水のシリカ濃度推定方法において、前記シリカ溶解度は、蒸気へのシリカ溶解度、ボイラ内の圧力、及びボイラ内の温度の相関関係が記憶されたデータベースに基づいて回帰分析によって求められた計算式によって算出されることが好ましい。
【００１４】
また、本発明に係るボイラ水のシリカ濃度調整方法は、上記いずれかのボイラ水のシリカ濃度推定方法を用いてシリカ濃度を推定する工程と、所定のボイラ水ブロー管理値を設定する工程と、前記シリカ濃度推定方法によって推定された前記シリカ濃度が所定のボイラ水ブロー管理値よりも大きい場合にボイラ水をブローする工程と、前記ボイラからブローされるボイラブロー水量を測定する工程と、前記循環ラインに給水する工程と、前記循環ラインに供給される給水のシリカ濃度である給水シリカ濃度を測定する工程と、前記シリカ濃度から、前記シリカ濃度と前記給水シリカ濃度との差分、前記ボイラブロー水量、及び前記ボイラと前記循環ラインの全保有水量によって算出されるシリカ濃度減少分を減算することによって、前記シリカ濃度記憶部に記憶されたシリカ濃度を更新する工程と、を含むことを特徴とする。
【発明の効果】
【００１５】
本発明によれば、ボイラ水のシリカ濃度を常時測定するためのシリカ濃度計を設置する必要がないため、ボイラプラントの初期導入費用及び維持費用を低減することができる。
【図面の簡単な説明】
【００１６】
【図１】本発明の実施形態のボイラ水のシリカ濃度調整装置が適用されるコンバインドサイクル発電プラントの概略系統図である。
【図２】ボイラ水のシリカ濃度調整装置による処理手順を示すフローチャートである。
【図３】シリカの飽和・過熱蒸気への溶解度と、温度、圧力の相関関係を示すグラフである。
【発明を実施するための形態】
【００１７】
以下、本発明の実施形態について図面を参照して詳細に説明する。
図１は、本実施形態のシリカ濃度推定装置１、及びシリカ濃度調整装置３９が適用されるコンバインドサイクル発電プラント２（ボイラプラント）の概略系統図である。
図１に示すように、本実施形態のコンバインドサイクル発電プラント２は、ガスタービン３と蒸気タービン４の回転駆動力により発電機５を駆動して発電させるように構成されている。ガスタービン３の排気出口には、排熱回収ボイラ７（ＨＲＳＧ、以下ボイラと呼ぶ）が接続されている。
【００１８】
ガスタービン３は、燃焼用空気を圧縮する圧縮機２４と、圧縮された高圧空気と燃料との混合気を燃焼させて高温高圧の燃焼ガスを供給する燃焼器２５と、タービン２６とを備えている。
【００１９】
ボイラ７と蒸気タービン４とは、蒸気ライン１０によって接続されており、ボイラ７で発生した蒸気は、蒸気ライン１０を介して蒸気タービン４に流入するように構成されている。蒸気タービン４には、復水器１２が設けられており、蒸気タービン４で膨張仕事をして駆動した後の蒸気を復水器１２に排出させて凝縮して復水するようになっている。また復水器１２には復水を溜めるホットウエル１３が設けられている。
【００２０】
ホットウエル１３とボイラ７とは給水ライン１４によって接続されており、この給水ライン１４上には給水ポンプ１５と、給水ライン１４を流れる給水の速度であるボイラ給水速度Ｆ［ｍ３／ｈ］を測定する第一流量計２２が設けられている。
【００２１】
ボイラ７には、ボイラ水を排出するためのブロー手段２３が設けられている。ブロー手段２３は、ブローライン２７と、ブローライン２７上に設けられブロー水の排出を制御するブロー弁２９とを有しており、ブロー弁２９の下流側には、ブロー水のブロー水量ＦＢ［ｍ３／ｈ］を測定するための第二流量計３０が設けられている。ブロー弁２９は、制御装置９からの命令信号に従って開閉自在とされている。
【００２２】
また、ボイラ７には、ボイラ内の圧力Ｐ［ＭＰａ］を測定するボイラ内圧力計３２と、ボイラ内の温度Ｔｐ［℃］を測定するボイラ水温度計３３が備えられている。第一流量計２２とボイラ内圧力計３２とボイラ水温度計３３とは、例えばケーブルによってシリカ濃度推定装置１のシリカ濃度更新部４０と接続されており、出力信号がシリカ濃度更新部４０に送信されるように構成されている。
【００２３】
また、ホットウエル１３には、純水装置１６から純水供給ライン１７を介して純水が供給されるように構成されている。純水装置１６は純水を生成する装置であり、純水供給ライン１７上には純水装置１６によって生成される純水を貯留する純水タンク１８が設けられている。
【００２４】
純水供給ライン１７上であって、純水装置１６と純水タンク１８との間には、純水装置１６から供給される純水のシリカ濃度である給水シリカ濃度ＳＷ［ｇ／ｍ３］を測定することができるシリカ濃度計２０が設けられている。シリカ濃度計２０は、例えばケーブルによって制御装置９と接続されており、出力信号が制御装置９に送信されるように構成されている。
【００２５】
また、純水供給ライン１７上であって、純水タンク１８とホットウエル１３の間には、純水の流入を制御するための給水弁２１が設けられている。給水弁２１は、制御装置９からの命令信号に従って開閉自在とされている。
【００２６】
また、ボイラ水が、ボイラ７、蒸気タービン４、復水器１２を経て、給水ポンプ１５によって再びボイラ７に循環する経路を循環ライン３４と呼ぶ。本実施形態のボイラ７は、ブロー手段２３によってボイラ水をブローするとともに、給水手段１１によって循環ライン３４にブローによって失われた水を補給することによって、シリカ濃度の調整を行っている。
【００２７】
ボイラ水のシリカ濃度を調整するためのボイラ水のブローはシリカ濃度調整装置３９を備えた制御装置９によって実施され、ボイラ水のシリカ濃度ＳＢは、シリカ濃度推定装置１のシリカ濃度記憶部４１に記憶されるとともに、シリカ濃度更新部４０によって更新されるようになっている。また、シリカ濃度更新部４０は、シリカ溶解度ＳＯ［ｇ／ｍ３］を算出するシリカ溶解度算出手段４２を備えている。
そして、制御装置９は、シリカ濃度更新部４０によって更新され、シリカ濃度記憶部４１に記憶されたシリカ濃度を、随時参照したり更新したりできるようになっている。
【００２８】
シリカ濃度推定装置１は、ボイラ水温度計３３と、ボイラ内圧力計３２と、第一流量計２２と、シリカ濃度更新部４０を有し、後述する処理によって、シリカ濃度を推定するものである。
また、シリカ濃度更新部４０は、シリカ濃度記憶部４１と、シリカ溶解度算出手段４２とを有しており、ボイラ水温度計３３、ボイラ内圧力計３２、及び第一流量計２２による測定値と、シリカ溶解度算出手段４２によって算出されたシリカ溶解度を用いてシリカ濃度記憶部４１に記憶されたシリカ濃度を更新するものである。
なお、図１においては、シリカ濃度更新部４０は制御装置９とは別に設けられた装置として示されているが、シリカ濃度更新部４０は制御装置９内に組み込まれていてもよい。
【００２９】
シリカ濃度調整装置３９は、制御装置９に含まれる調整装置であり、シリカ濃度推定装置１と、ブロー手段２３と、第二流量計３０と、純水装置１６と、シリカ濃度計２０と、を有し、後述する処理によって、シリカ濃度を調整するものである。
【００３０】
次に、本実施形態のシリカ濃度調整装置３９の動作について説明する。図２は、ボイラ水シリカ濃度を推定しつつ、ボイラ水シリカ濃度を調整する処理手順を示すフローチャートである。シリカ濃度推定装置１、及びシリカ濃度調整装置３９は、コンバインドサイクル発電プラント２が運転している間、図２の処理を行う。
【００３１】
まず、オペレータによって、制御装置９の記憶部に固定値が入力される（固定値入力工程Ｓ１）。固定値入力工程Ｓ１においては、オペレータによって、ボイラ保有水量ＶＢ［ｍ３］及びボイラ以外の保有水量ＶＰ［ｍ３］が制御装置９の所定の記憶部に入力される。これらボイラ保有水量ＶＢ、及びボイラ以外の保有水量ＶＰは設計値であり、これらの和が循環ライン３４中の全保有水量（ＶＢ＋ＶＰ）［ｍ３］となる。
【００３２】
また、オペレータによってシリカ濃度ＳＢの計算頻度として、計算時間間隔ΔＴ［ｈ］が制御装置９の記憶部に入力される。即ち、シリカ濃度ＳＢの推定処理又は調整処理は、ΔＴ毎に行われる。また、オペレータは、後述する回帰計算によって決定される、蒸気中へのシリカ溶解度ＳＯを算出するのに必要な計算式の係数を決定する。
【００３３】
さらに、オペレータによってボイラ水ブロー管理値ＳＣ［ｇ／ｍ３］が制御装置９の記憶部に入力される。このボイラ水ブロー管理値ＳＣは、ＪＩＳ  Ｂ  ８２２３「ボイラ水の給水及びボイラ水の水質（２００６年）」において定められている数値である。
【００３４】
ここで、蒸気中へのシリカ溶解度ＳＯの計算式の作成方法について説明する。
蒸気中へのシリカ溶解度ＳＯの計算式とは、ボイラ水温度Ｔｐ、ボイラ内圧力Ｐより、シリカ溶解度ＳＯを算出するための計算式であり、図３に示すシリカの飽和・過熱蒸気への溶解度のグラフ、即ち蒸気へのシリカ溶解度、ボイラ内の圧力、及びボイラ内の温度の相関関係が記憶されたデータベースに基づいて作成される。
【００３５】
計算式は、回帰分析を用いて、
ＳＯ  ＝  ａ  ＋  ｂ×Ｔｐ  ＋ｃ×Ｐ
なる形式の重回帰式によって表される。この重回帰式において、ボイラ水温度Ｔｐとボイラ内圧力Ｐが説明変数であり、シリカ溶解度ＳＯが目的変数（従属変数）である。
係数ａ，ｂは、所定の回帰分析ツールによって求めることができる。
本実施形態では、図３に示すシリカの飽和・過熱蒸気への溶解度のグラフより、以下の表に示す７点の分析データを用いて回帰分析を行った。
【００３６】
【表１】
2014031931.tif 000003
【００３７】
回帰分析によって、図３のグラフに対応するシリカ溶解度ＳＯの計算式は、以下の計算式（１）に示すものとなった。
ＳＯ  ＝  −１４．３１８  ＋  ０．０１７７９８×Ｔｐ  ＋  １．３９１２×Ｐ
・・・  （１）
【００３８】
次いで、オペレータは、ボイラ水中のシリカ濃度の初期値ＳＢ０［ｇ／ｍ３］を設定する（シリカ濃度初期値設定工程Ｓ２）。ここでは、ボイラ水のシリカ濃度を手分析によって計測し、この分析値をボイラ水中のシリカ濃度の初期値ＳＢ０とする。
【００３９】
次いで、制御装置９が、ボイラ水のシリカ濃度ＳＢ、及びボイラ給水中シリカ濃度Ｓｉ［ｇ／ｍ３］を設定し、この値がシリカ濃度更新部４０のシリカ濃度記憶部４１に記憶される（シリカ濃度設定工程Ｓ３）。ここでは、固定値入力工程Ｓ１において設定されたボイラ水中シリカ濃度の初期値ＳＢ０がボイラ水中シリカ濃度ＳＢ及びボイラ給水中シリカ濃度Ｓｉとして設定される。
そして、シリカ濃度推定装置１が、ボイラ水温度Ｔｐ、及びボイラ内圧力Ｐの計測値を取得する（温度圧力取得工程Ｓ４）。
【００４０】
次いで、シリカ濃度推定装置１は、シリカ溶解度算出手段４２を用いてシリカ溶解度ＳＯを算出する（シリカ溶解度算出工程Ｓ５）。即ち、温度圧力取得工程Ｓ４によって取得されたボイラ水温度Ｔｐ及びボイラ内圧力Ｐを計算式（１）に入力することによって、シリカ溶解度ＳＯを算出する。
【００４１】
次に、シリカ濃度推定装置１は、シリカ溶解度算出工程Ｓ５において算出されたシリカ溶解度ＳＯの値と、シリカ濃度設定工程Ｓ３においてシリカ濃度記憶部４１に記憶されたシリカ濃度ＳＢとを比較する（シリカ溶解度比較工程Ｓ６）。
【００４２】
ここで、蒸気へのシリカ溶解度ＳＯがシリカ濃度ＳＢよりも大きい場合は、ボイラ水のシリカ濃度ＳＢは変化しないため、ボイラ水のシリカ濃度ＳＢの積算は行われない。
よって、シリカ濃度ＳＢとボイラ給水中シリカ濃度Ｓｉは変更されることなく、計算終了判断工程Ｓ１４にて計算を終了するか否かを判断され、通常は、固定値入力工程Ｓ１で設定された計算時間間隔ΔＴ［ｈ］が経過するまで待機した後、温度圧力取得工程Ｓ４に戻る。そして、シリカ濃度推定装置１は、ボイラ水温度Ｔｐ及びボイラ内圧力Ｐを取得し、シリカ溶解度ＳＯの再計算を行う。
【００４３】
一方、シリカ溶解度ＳＯがシリカ濃度ＳＢ以下であった場合、蒸気にシリカが溶解し切れなかったシリカがボイラ水に残留するため、ボイラ水のシリカ濃度ＳＢが上昇することになる。即ち、シリカ濃度ＳＢを補正する必要がある。
【００４４】
シリカ濃度調整装置３９は、ボイラ水のシリカ濃度ＳＢを補正する前段階として、シリカ濃度増加分ΔＳＢ［ｇ／ｍ３］を算出する（シリカ濃度増加分算出工程Ｓ７）。シリカ濃度増加分ΔＳＢは、以下の計算式（２）によって算出される。
【００４５】
【数１】
2014031931.tif 000004
【００４６】
次いで、シリカ濃度調整装置３９は、シリカ濃度増加分算出工程Ｓ７で算出したシリカ濃度増加分ΔＳＢに基づき、ボイラ水のシリカ濃度ＳＢを計算する。即ち、シリカ濃度ＳＢにシリカ濃度増加分ΔＳＢを加算した値と、ボイラブロー管理値ＳＣと比較する（ボイラブロー管理値比較工程Ｓ８）。
【００４７】
ここで、ボイラ水のシリカ濃度ＳＢが、ボイラブロー管理値ＳＣ以下であった場合は、ボイラ水中シリカ濃度ＳＢを、
ＳＢ  ＝  ＳＢ  ＋  ΔＳＢ
とし、かつ、及びボイラ給水中シリカ濃度Ｓｉを、
Ｓｉ  ＝  ＳＯ
とする。そして、後述する計算終了判断工程Ｓ１４にて計算を終了するか否かを判断され、通常は、計算時間間隔ΔＴが経過するまで待機した後、温度圧力取得工程Ｓ４に戻って、シリカ溶解度算出手段４２がボイラ水温度Ｔｐ及びボイラ内圧力Ｐを取得し、シリカ溶解度ＳＯの再計算を行う。
【００４８】
そして、シリカ濃度調整装置３９は、ボイラ水のシリカ濃度ＳＢが、ボイラブロー管理値ＳＣよりも大きかった場合にボイラブローを実施する（ボイラブロー実施工程Ｓ９）。シリカ濃度調整装置３９は、第二流量計３０を用いてボイラブローによって排出されるブロー水の水量ＦＢ［ｍ３／ｈ］を取得する（ボイラブロー水量計測工程Ｓ１０）。
そして、ボイラブローによるホットウエル水位低下をホットウエルレベル計４３が検出し、レベル制御により、ブロー水量と等しい純水が純水装置１６より供給される。
【００４９】
即ち、ボイラ水のシリカ濃度ＳＢが、ボイラブロー管理値ＳＣを上回った場合は、ボイラ水が排出されるとともに循環ライン３４に純水が供給されることによってボイラ水が希釈され、ボイラ水のシリカ濃度ＳＢがボイラブロー管理値ＳＣ以下の値を保持できるようにしている。
【００５０】
ここで、ボイラブロー及び純水の補給によってシリカ濃度ＳＢの濃度が下がるため、シリカ濃度調整装置３９はシリカ濃度ＳＢの再計算を行う（シリカ濃度再計算工程Ｓ１１）。
ここで、シリカ濃度減少分ΔＳＢは、以下の計算式（３）によって算出される。
【００５１】
【数２】
2014031931.tif 000005
【００５２】
即ち、ブロー後のシリカ濃度ＳＢは以下の計算式（４）によって再計算される。
【００５３】
【数３】
2014031931.tif 000006
【００５４】
また、ボイラ給水中シリカ濃度Ｓｉはシリカ濃度ＳＢと等しいと見なせるため、
Ｓｉ＝ＳＢ
とする（ボイラ給水中シリカ濃度設定工程Ｓ１２）。
【００５５】
なお、シリカ濃度再計算工程Ｓ１１においては、シリカ濃度を再計算する代わりに、手分析により、シリカ濃度を取得し、シリカ濃度推定装置１に入力してもよい。
【００５６】
そして、計算終了判断工程Ｓ１３において、計算を終了するかの判断を行う。通常、ボイラ７の運転を続行する場合は、計算を終了せずに計算時間間隔ΔＴが経過するまで待機した後、温度圧力取得工程Ｓ４に戻る。
【００５７】
次に、上記実施形態のボイラ水のシリカ濃度調整装置３９の作用について説明する。
コンバインドサイクル発電プラント２を起動させ、ボイラ水の運転中の所定の段階で、オペレータは、ボイラ水のシリカ濃度ＳＢを手分析により取得し、制御装置９の記憶部に入力する。
【００５８】
シリカ濃度推定装置１は、シリカ濃度ＳＢとシリカ溶解度ＳＯとを比較し、シリカ濃度ＳＢがシリカ溶解度ＳＯを下回っている場合は、シリカ濃度ＳＢの記憶値を変化させず保持する。
一方、シリカ濃度調整装置３９は、シリカ濃度ＳＢがシリカ溶解度ＳＯを上回っている場合は、シリカ濃度ＳＢにシリカ濃度増加分ΔＳＢを積算することでシリカ濃度ＳＢを補正する。そして、シリカ濃度調整装置３９は、補正されたシリカ濃度ＳＢとボイラ水ブロー管理値ＳＣとを比較し、シリカ濃度ＳＢがボイラ水ブロー管理値ＳＣを上回っている場合は、ブロー及び給水を実施させる。ブローを実施した場合は、計算式（４）に従って、シリカ濃度ＳＢの初期値をリセットする。
【００５９】
上記実施形態によれば、ボイラ水のシリカ濃度ＳＢは、ボイラ水温度Ｔｐ、ボイラ内圧力Ｐによって算出されるシリカ溶解度ＳＯ、及びボイラ給水速度Ｆによって算出されるため、ボイラ水のシリカ濃度ＳＢを測定する為のシリカ濃度計２０を設ける必要がない。即ち、既存の設備のみでシリカ濃度ＳＢを推定することができる。これにより、シリカ濃度計２０を設置するための初期費用、及びシリカ濃度計２０を用いてシリカ濃度を測定費用などの維持費用を削減することができる。
【００６０】
なお、本発明の技術範囲は上記の実施形態に限定されるものではなく、本発明の趣旨を逸脱しない範囲において、種々の変更を加えることが可能である。例えば、以上で説明した実施形態では、シリカ濃度推定装置１及びシリカ濃度調整装置をコンバインドサイクル発電プラント２に適用したが、ガスタービン３を省略した火力発電プラントに適用してもよいし、発電プラントに限らず、船舶用ボイラに適用してもよい。
【符号の説明】
【００６１】
１…シリカ濃度推定装置  ２…コンバインドサイクル発電プラント  ７…ボイラ  ９…制御装置  １１…給水手段  １２…復水器  １４…給水ライン  １６…純水装置  １７…純水供給ライン  １８…純水タンク  ２０…シリカ濃度計  ２１…給水弁  ２２…第一流量計  ２３…ブロー手段  ２７…ブローライン  ２９…ブロー弁  ３０…第二流量計  ３２…ボイラ内圧力計  ３３…ボイラ水温度計  ３４…循環ライン  ３９…シリカ濃度調整装置  ４１…シリカ濃度記憶部  ４２…シリカ溶解度算出手段  ４３…ホットウエルレベル計
【図１】
2014031931.tif 000007
【図２】
2014031931.tif 000008
【図３】
2014031931.tif 000009